(57)【特許請求の範囲】
【請求項１】
ブラックのインクジェットインクと、ブラック以外の色のインクジェットインクを有するインクジェットインクセットであって、
前記ブラックのインクジェットインクは、水、水溶性有機溶媒及び着色剤を含み、該水溶性有機溶媒の含有量が２５質量％以上５０質量％以下であり、
前記ブラックのインクジェットインクに含まれる水溶性有機溶媒は、２３℃、８０％ＲＨにおける平衡水分量が４１質量％以上４９質量％以下である多価アルコールＡ、２３℃、８０％ＲＨにおける平衡水分量が３５質量％以上３９質量％以下である多価アルコールＢ及び２３℃、８０％ＲＨにおける平衡水分量が１１質量％以上２４質量％以下である多価アルコールＣのみを含み、
前記ブラックのインクジェットインクの前記多価アルコールＡの含有量が前記ブラックのインクジェットインクの前記多価アルコールＢ及び前記多価アルコールＣの総含有量以上であり、
前記ブラック以外の色のインクジェットインクは、水、水溶性有機溶媒及び着色剤を含み、該水溶性有機溶媒の含有量が２５質量％以上５０質量％以下であり、
前記ブラック以外の色のインクジェットインクに含まれる水溶性有機溶媒は、２３℃、８０％ＲＨにおける平衡水分量が４１質量％以上４９質量％以下である多価アルコールＡ及び２３℃、８０％ＲＨにおける平衡水分量が３５質量％以上３９質量％以下である多価アルコールＢのみを含み、
前記ブラック以外の色のインクジェットインクの前記多価アルコールＡの含有量が前記ブラック以外の色のインクジェットインクの前記多価アルコールＢの含有量以下であり、
前記ブラックのインクジェットインクの質量に対する水分の蒸発量が３０質量％である場合の前記ブラックのインクジェットインクの粘度は、前記ブラック以外の色のインクジェットインクの質量に対する水分の蒸発量が３０質量％である場合の前記ブラック以外の色のインクジェットインクの粘度よりも大きいことを特徴とするインクジェットインクセット。
【請求項２】
前記ブラック以外の色は、マゼンタ、シアン又はイエローであることを特徴とする請求項１に記載のインクジェットインクセット。
【請求項３】
前記ブラックのインクジェットインク及び前記ブラック以外の色のインクジェットインクに含まれる多価アルコールＡがグリセリンであることを特徴とする請求項１又は２に記載のインクジェットインクセット。
【請求項４】
前記着色剤は、表面に親水基を有する顔料、界面活性剤により分散している顔料又は顔料と親水性基を有する樹脂を含む着色粒子を含むことを特徴とする請求項１乃至３のいずれか一項に記載のインクジェットインクセット。
【請求項５】
ブラックのインクジェットインクが収容されているインクカートリッジと、ブラック以外の色のインクジェットインクが収容されているインクカートリッジを有するインクカートリッジセットであって、
請求項１乃至４のいずれか一項に記載のインクジェットインクセットを有することを特徴とするインクカートリッジセット。
【請求項６】
ブラックのインクジェットインクを吐出する手段と、ブラック以外の色のインクジェットインクを吐出する手段を有するインクジェット記録装置であって、
請求項１乃至４のいずれか一項に記載のインクジェットインクセットを有することを特徴とするインクジェット記録装置。
【発明の詳細な説明】
【技術分野】
【０００１】
本発明は、インクジェットインクセット、インクカートリッジセット及びインクジェット記録装置に関する。
【背景技術】
【０００２】
インクジェットプリンターは、低騒音、低ランニングコスト、カラー印刷が容易である等の利点を有することから、デジタル信号の出力機器として、近年急速に普及している。
【０００３】
インクジェットインクとしては、生体及び環境に対する安全性が高いことから、水性のインクジェットインクが広く用いられている。
【０００４】
しかしながら、水性のインクジェットインクは、吐出安定性が低いという問題がある。
【０００５】
特許文献１には、着色剤、湿潤剤及び樹脂を含有するインクを２種以上組み合わせてなるインクセットが開示されている。このとき、インクセットにおける各インクが異なる種類の湿潤剤を１種以上含み、各インクにおける湿潤剤総量の最大値と最小値との差の最大値に対する比率及び２３℃、５０％ＲＨでの平衡時残存水分量の最大値と最小値との差の最大値に対する比率が、それぞれ５％以下である。
【０００６】
しかしながら、紙に画像を形成する場合に、ブラックとブラック以外の色の間のカラーブリードの発生及びカールの発生を抑制することが望まれている。
【発明の概要】
【発明が解決しようとする課題】
【０００７】
本発明は、上記従来技術が有する問題に鑑み、吐出安定性に優れ、紙に画像を形成しても、ブラックとブラック以外の色の間のカラーブリードの発生及びカールの発生を抑制することが可能なインクジェットインクセット並びに該インクジェットインクセットを有するインクカートリッジセット及びインクジェット記録装置を提供することを目的とする。
【課題を解決するための手段】
【０００８】
本発明のインクジェットインクセットは、ブラックのインクジェットインクと、ブラック以外の色のインクジェットインクを有するインクジェットインクセットであって、前記ブラックのインクジェットインクは、水、水溶性有機溶媒及び着色剤を含み、該水溶性有機溶媒の含有量が２５質量％以上５０質量％以下であり、前記ブラックのインクジェットインクに含まれる水溶性有機溶媒は、２３℃、８０％ＲＨにおける平衡水分量が４１質量％以上４９質量％以下である多価アルコールＡ、２３℃、８０％ＲＨにおける平衡水分量が３５質量％以上３９質量％以下である多価アルコールＢ及び２３℃、８０％ＲＨにおける平衡水分量が１１質量％以上２４質量％以下である多価アルコールＣのみを含み、前記ブラックのインクジェットインクの前記多価アルコールＡの含有量が前記ブラックのインクジェットインクの前記多価アルコールＢ及び前記多価アルコールＣの総含有量以上であり、前記ブラック以外の色のインクジェットインクは、水、水溶性有機溶媒及び着色剤を含み、該水溶性有機溶媒の含有量が２５質量％以上５０質量％以下であり、前記ブラック以外の色のインクジェットインクに含まれる水溶性有機溶媒は、２３℃、８０％ＲＨにおける平衡水分量が４１質量％以上４９質量％以下である多価アルコールＡ及び２３℃、８０％ＲＨにおける平衡水分量が３５質量％以上３９質量％以下である多価アルコールＢのみを含み、前記ブラック以外の色のインクジェットインクの前記多価アルコールＡの含有量が前記ブラック以外の色のインクジェットインクの前記多価アルコールＢの含有量以下であり、前記ブラックのインクジェットインクの質量に対する水分の蒸発量が３０質量％である場合の前記ブラックのインクジェットインクの粘度は、前記ブラック以外の色のインクジェットインクの質量に対する水分の蒸発量が３０質量％である場合の前記ブラック以外の色のインクジェットインクの粘度よりも大きい。
【０００９】
本発明のインクカートリッジセットは、ブラックのインクジェットインクが収容されているインクカートリッジと、ブラック以外の色のインクジェットインクが収容されているインクカートリッジを有するインクカートリッジセットであって、本発明のインクジェットインクセットを有する。
【００１０】
本発明のインクジェット記録装置は、ブラックのインクジェットインクを吐出する手段と、ブラック以外の色のインクジェットインクを吐出する手段を有するインクジェット記録装置であって、本発明のインクジェットインクセットを有する。
【発明の効果】
【００１１】
本発明によれば、吐出安定性に優れ、紙に画像を形成しても、ブラックとブラック以外の色の間のカラーブリードの発生及びカールの発生を抑制することが可能なインクジェットインクセット並びに該インクジェットインクセットを有するインクカートリッジセット及びインクジェット記録装置を提供することができる。
【発明を実施するための形態】
【００１２】
次に、本発明を実施するための形態を説明する。
【００１３】
本発明のインクジェットインクセットは、ブラックのインクジェットインクと、ブラック以外の色のインクジェットインクを有する。
【００１４】
ブラックのインクジェットインクは、水、着色剤、２３℃、８０％ＲＨにおける平衡水分量（以下、平衡水分量という）が４１〜４９質量％の水溶性有機溶媒Ａ、平衡水分量が３５〜３９質量％の水溶性有機溶媒Ｂ、平衡水分量が１１〜２４質量％の水溶性有機溶媒Ｃを含む。一方、ブラック以外の色のインクジェットインクは、水、着色剤、平衡水分量が４１〜４９質量％の水溶性有機溶媒Ａ及び平衡水分量が３５〜３９質量％の水溶性有機溶媒Ｂを含み、平衡水分量が１１〜２４質量％の水溶性有機溶媒Ｃを含まない。このため、紙に画像を形成しても、ブラックとブラック以外の色の間のカラーブリードの発生を抑制することができる。また、一般的に吐出量が多いブラックのインクジェットインクが、平衡水分量が小さい水溶性有機溶媒Ｃを含むため、紙に画像を形成しても、カールの発生を抑制することができる。
【００１５】
なお、平衡水分量は、飽和塩化カリウム水溶液を用いて、温度を２３±１℃、湿度を８０±３％ＲＨに保持しているデシケーター内に、水溶性有機溶媒１ｇを入れたシャーレを保管し、式
（水溶性有機溶媒に吸収された水分の質量［ｇ］）／［（水溶性有機溶媒の質量［ｇ］）＋（水溶性有機溶媒に吸収された水分の質量［ｇ］）］×１００
から算出される。
【００１６】
ブラックのインクジェットインクは、水溶性有機溶媒Ａの含有量が水溶性有機溶媒Ｂ及び水溶性有機溶媒Ｃの総含有量以上である。ブラックのインクジェットインクの水溶性有機溶媒Ａの含有量が水溶性有機溶媒Ｂ及び水溶性有機溶媒Ｃの総含有量未満であると、インクジェット記録装置のノズルの目詰まりが発生しやすくなって、吐出安定性が低下する。
【００１７】
ブラックのインクジェットインクの水溶性有機溶媒Ａ、水溶性有機溶媒Ｂ及び水溶性有機溶媒Ｃの総含有量は、２５〜５０質量％であり、３０〜４５質量％が好ましい。ブラックのインクジェットインクの水溶性有機溶媒Ａ、水溶性有機溶媒Ｂ及び水溶性有機溶媒Ｃの総含有量が２５質量％未満であると、インクジェット記録装置のノズルの目詰まりが発生しやすくなって、吐出安定性が低下し、５０質量％を超えると、インクジェットインクの粘度が高くなって、吐出安定性が低下する。
【００１８】
ブラック以外の色のインクジェットインクは、水溶性有機溶媒Ａの含有量が水溶性有機溶媒Ｂの含有量以下である。ブラック以外の色のインクジェットインクの水溶性有機溶媒Ａの含有量が水溶性有機溶媒Ｂの含有量を超えると、紙に画像を形成した場合に、ブラックとブラック以外の色の間のカラーブリードが発生しやすくなる。
【００１９】
ブラック以外の色のインクジェットインクの水溶性有機溶媒Ａ及び水溶性有機溶媒Ｂの総含有量は、２５〜５０質量％であり、２５〜４０質量％が好ましい。ブラック以外の色のインクジェットインクの水溶性有機溶媒Ａ及び水溶性有機溶媒Ｂの総含有量が２５質量％未満であると、インクジェット記録装置のノズルの目詰まりが発生しやすくなって、吐出安定性が低下し、５０質量％を超えると、インクジェットインクの粘度が高くなって、吐出安定性が低下する。
【００２０】
ブラックのインクジェットインクの水分の蒸発量が３０質量％である場合の粘度は、ブラック以外の色のインクジェットインクの水分の蒸発量が３０質量％である場合の粘度よりも大きい。これにより、紙に画像を形成しても、ブラックとブラック以外の色の間のカラーブリードの発生を抑制することができる。
【００２１】
水溶性有機溶媒Ａとしては、特に限定されないが、平衡水分量が４９質量％のグリセリン、平衡水分量が４３質量％のジエチレングリコール、平衡水分量が４１質量％の１，２，４−ブタントリオール、平衡水分量が４３質量％の２−ピロリドン等が挙げられ、二種以上併用してもよい。中でも、保存安定性及び吐出安定性に優れることから、グリセリンが好ましい。
【００２２】
水溶性有機溶媒Ｂとしては、特に限定されないが、平衡水分量が３９質量％のトリエチレングリコール、平衡水分量が３８質量％のジグリセリン、平衡水分量が３８質量％の１，２，３−ブタントリオール、平衡水分量が３７質量％のテトラエチレングリコール、平衡水分量が３５質量％の１，３−ブタンジオール等が挙げられ、二種以上併用してもよい。
【００２３】
水溶性有機溶媒Ｃとしては、特に限定されないが、平衡水分量が２４質量％の２−メチル−１，３−ブタンジオール、平衡水分量が１７質量％の１，６−ヘキサンジオール、平衡水分量が１７質量％の１，２−ペンタンジオール、平衡水分量が１１質量％の１，２−ヘキサンジオール等が挙げられ、二種以上併用してもよい。
【００２４】
このとき、保存安定性に優れることから、ブラックのインクジェットインクに含まれる水溶性有機溶媒Ａ、水溶性有機溶媒Ｂ及び水溶性有機溶媒Ｃの少なくとも一つが多価アルコールであり、ブラック以外の色のインクジェットインクに含まれる水溶性有機溶媒Ａ及び／又は水溶性有機溶媒Ｂが多価アルコールであることが好ましい。
【００２５】
各色のインクジェットインクは、水溶性有機溶媒Ａ、水溶性有機溶媒Ｂ及び水溶性有機溶媒Ｃ以外の湿潤剤をさらに含んでいてもよい。
【００２６】
水溶性有機溶媒Ａ、水溶性有機溶媒Ｂ及び水溶性有機溶媒Ｃ以外の湿潤剤としては、特に限定されないが、多価アルコール、多価アルコールアルキルエーテル、多価アルコールアリールエーテル、含窒素複素環化合物、アミド、アミン、含硫黄化合物等が挙げられ、二種以上併用してもよい。
【００２７】
着色剤は、顔料及び染料のいずれであってもよく、顔料及び染料を混合して用いてもよい。
【００２８】
顔料としては、特に限定されないが、無機顔料、有機顔料が挙げられ、二種以上併用してもよい。
【００２９】
無機顔料としては、酸化チタン、酸化鉄、炭酸カルシウム、硫酸バリウム、水酸化アルミニウム、バリウムイエロー、紺青、カドミウムレッド、クロムイエロー、金属粉、カーボンブラック等が挙げられる。中でも、カーボンブラックが好ましい。
【００３０】
有機顔料としては、アゾ顔料、アゾメチン顔料、多環式顔料、染料キレート、ニトロ顔料、ニトロソ顔料、アニリンブラック等が挙げられる。中でも、アゾ顔料、多環式顔料が好ましい。
【００３１】
アゾ顔料としては、アゾレーキ、不溶性アゾ顔料、縮合アゾ顔料、キレートアゾ顔料等が挙げられる。
【００３２】
多環式顔料としては、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料、ローダミンＢレーキ顔料等が挙げられる。
【００３３】
染料キレートとしては、塩基性染料型キレート、酸性染料型キレート等が挙げられる。
【００３４】
ブラックのインクジェットインク用の顔料としては、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、酸化チタン等の金属類、アニリンブラック（Ｃ．Ｉ．ピグメントブラック１）等の有機顔料等が挙げられる。
【００３５】
カーボンブラックの製造方法としては、コンタクト法、ファーネス法、サーマル法、チャネル法等が挙げられる。
【００３６】
カーボンブラックは、平均一次粒径が１５〜４０ｎｍ、ＢＥＴ比表面積が５０〜３００ｍ２／ｇ、ＤＢＰ吸油量が４０〜１５０ｍｌ／１００ｇ、揮発性成分の含有量が０．５〜１０質量％、ｐＨが２〜９であることが好ましい。
【００３７】
カーボンブラックの市販品としては、Ｎｏ．２３００、Ｎｏ．９００、ＭＣＦ−８８、Ｎｏ．３３、Ｎｏ．４０、Ｎｏ．４５、Ｎｏ．５２、ＭＡ７、ＭＡ８、ＭＡ１００、Ｎｏ．２２００Ｂ（以上、三菱化学社製）；Ｒａｖｅｎ７００、５７５０、５２５０、５０００、３５００、１２５５（以上、コロンビア社製）；Ｒｅｇａｌ４００Ｒ、３３０Ｒ、６６０Ｒ、Ｍｏｇｕｌ  Ｌ、Ｍｏｎａｒｃｈ７００、８００、８８０、９００、１０００、１１００、１３００、Ｍｏｎａｒｃｈ１４００（以上、キャボット社製）；カラーブラックＦＷ１、ＦＷ２、ＦＷ２Ｖ、ＦＷ１８、ＦＷ２００、Ｓ１５０、Ｓ１６０、Ｓ１７０、プリンテックス３５、Ｕ、Ｖ、１４０Ｕ、１４０Ｖ、スペシャルブラック６、５、４Ａ、４（以上、デグッサ社製）等が挙げられる。
【００３８】
イエローのインクジェットインク用の顔料としては、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１７４、Ｃ．Ｉ．ピグメントイエロー１８０等が挙げられる。
【００３９】
マゼンタのインクジェットインク用の顔料としては、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１４６、Ｃ．Ｉ．ピグメントレッド１６８、Ｃ．Ｉ．ピグメントレッド１７６、Ｃ．Ｉ．ピグメントレッド１８４、Ｃ．Ｉ．ピグメントレッド１８５、Ｃ．Ｉ．ピグメントレッド２０２、ピグメントバイオレット１９等が挙げられる。
【００４０】
シアンのインクジェットインク用の顔料としては、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：３４、Ｃ．Ｉ．ピグメントブルー１６、Ｃ．Ｉ．ピグメントブルー２２、Ｃ．Ｉ．ピグメントブルー６０、Ｃ．Ｉ．ピグメントブルー６３、Ｃ．Ｉ．ピグメントブルー６６；Ｃ．Ｉ．バットブルー４、Ｃ．Ｉ．バットブルー６０等が挙げられる。
【００４１】
着色剤は、表面に親水基を有する自己分散型顔料、界面活性剤により分散している顔料又は顔料と親水性基を有する樹脂を含む着色粒子を含むことが好ましい。これにより、インクジェット記録装置のノズルの目詰まりの発生を抑制することができる。
【００４２】
自己分散型顔料としては、特に限定されないが、酸化処理されているカーボンブラック；低温プラズマ処理されているＣ．Ｉ．ピグメントイエロー７４、Ｃ．Ｉ．ピグメントレッド１２２、Ｃ．Ｉ．ピグメントブルー１５：３等が挙げられる。
【００４３】
界面活性剤としては、特に限定されないが、ポリオキシエチレンβ−ナフチルエーテル、ポリオキシエチレンラウリルエーテル、ポリオキシエチレンソルビタンモノオレエート、ポリオキシエチレンスチレン化フェニルエーテル等が挙げられる。
【００４４】
親水基を有する樹脂としては、特に限定されないが、カルボキシル基、ヒドロキシル基等の親水基を有するアクリル樹脂；アクリル酸、メタクリル酸、スチレン等のビニル系モノマー由来のセグメントと、エチレンオキサイド、プロピレンオキサイド等のアルキレンオキサイド由来のセグメントを有するブロック共重合体等が挙げられる。
【００４５】
着色剤として、顔料を用いる場合、顔料が水中に分散している顔料分散液を予め調製することが好ましい。
【００４６】
このとき、顔料の平均粒径（Ｄ５０）は、通常、１０〜５００ｎｍであり、５０〜２００ｎｍが好ましい。
【００４７】
なお、顔料の平均粒径（Ｄ５０）は、２３℃、５５％ＲＨの環境下において、マイクロトラックＵＰＡ（日機装社製）を用いて測定することができる。
【００４８】
染料としては、特に限定されないが、酸性染料及び食用染料、直接染料、塩基性染料、反応性染料等が挙げられ、二種以上併用してもよい。
【００４９】
酸性染料及び食用染料としては、Ｃ．Ｉ．アシッド・イエロー１７、２３、４２、４４、７９、１４２；Ｃ．Ｉ．アシッド・レッド１、８、１３、１４、１８、２６、２７、３５、３７、４２、５２、８２、８７、８９、９２、９７、１０６、１１１、１１４、１１５、１３４、１８６、２４９、２５４、２８９；Ｃ．Ｉ．アシッド・ブルー９、２９、４５、９２、２４９；Ｃ．Ｉ．アシッド・ブラック１、２、７、２４、２６、９４；Ｃ．Ｉ．フード・イエロー３、４；Ｃ．Ｉ．フード・レッド７、９、１４；Ｃ．Ｉ．フード・ブラック１、２等が挙げられる。
【００５０】
直接染料としては、Ｃ．Ｉ．ダイレクト・イエロー１、１２、２４、２６、３３、４４、５０、８６、１２０、１３２、１４２、１４４；Ｃ．Ｉ．ダイレクト・レッド１、４、９、１３、１７、２０、２８、３１、３９、８０、８１、８３、８９、２２５、２２７；Ｃ．Ｉ．ダイレクト・オレンジ２６、２９、６２、１０２：Ｃ．Ｉ．ダイレクト・ブルー１、２、６、１５、２２、２５、７１、７６、７９、８６、８７、９０、９８、１６３、１６５、１９９、２０２；Ｃ．Ｉ．ダイレクト・ブラック１９、２２、３２、３８、５１、５６、７１、７４、７５、７７、１５４、１６８、１７１等が挙げられる。
【００５１】
塩基性染料としては、Ｃ．Ｉ．ベーシック・イエロー１、２、１１、１３、１４、１５、１９、２１、２３、２４、２５、２８、２９、３２、３６、４０、４１、４５、４９、５１、５３、６３、６４、６５、６７、７０、７３、７７、８７、９１；Ｃ．Ｉ．ベーシック・レッド２、１２、１３、１４、１５、１８、２２、２３、２４、２７、２９、３５、３６、３８、３９、４６、４９、５１、５２、５４、５９、６８、６９、７０、７３、７８、８２、１０２、１０４、１０９、１１２；Ｃ．Ｉ．ベーシック・ブルー１、３、５、７、９、２１、２２、２６、３５、４１、４５、４７、５４、６２、６５、６６、６７、６９、７５、７７、７８、８９、９２、９３、１０５、１１７、１２０、１２２、１２４、１２９、１３７、１４１、１４７、１５５；Ｃ．Ｉ．ベーシック・ブラック２、８等が挙げられる。
【００５２】
反応性染料としては、Ｃ．Ｉ．リアクティブ・ブラック３、４、７、１１、１２、１７；Ｃ．Ｉ．リアクティブ・イエロー１、５、１１、１３、１４、２０、２１、２２、２５、４０、４７、５１、５５、６５、６７；Ｃ．Ｉ．リアクティブ・レッド１、１４、１７、２５、２６、３２、３７、４４、４６、５５、６０、６６、７４、７９、９６、９７；Ｃ．Ｉ．リアクティブ・ブルー１、２、７、１４、１５、２３、３２、３５、３８、４１、６３、８０、９５等が挙げられる。
【００５３】
各色のインクジェットインクの着色剤の含有量は、通常、０．１〜５０質量％であり、０．１〜２０質量％が好ましい。
【００５４】
ブラックのインクジェットインク及びブラック以外の色のインクジェットインクは、それぞれ、浸透剤、消泡剤、ｐＨ調整剤、防腐防黴剤、防錆剤等をさらに含んでいてもよい。
【実施例】
【００５５】
［ブラックの顔料分散液Ａの調製］
ＣＴＡＢ比表面積が１５０ｍ２／ｇ、ＤＢＰ吸油量１００ｍｌ／１００ｇのカーボンブラック９０ｇを２．５Ｎの硫酸ナトリウム水溶液３Ｌ中に添加し、６０℃、３００ｒｐｍで攪拌しながら、１０時間酸化処理した後、反応液を濾過した。次に、残渣を水酸化ナトリウム水溶液で中和した後、限外濾過した。さらに、残渣を水洗した後、乾燥させ、自己分散型顔料を得た。次に、自己分散型顔料を水中に分散させ、自己分散型顔料の含有量が２０質量％のブラックの顔料分散液Ａを得た。
【００５６】
［シアンの顔料分散液Ａの調製］
ピグメントブルー１５：３を低温プラズマ処理して、カルボキシル基を導入した。次に、生成物を水中に分散させた後、限外濾過し、自己分散型顔料を得た。さらに、水を添加して、自己分散型顔料の含有量が１５質量％のシアンの顔料分散液Ａを得た。
【００５７】
［マゼンタの顔料分散液Ａの調製］
ピグメントブルー１５：３の代わりに、ピグメントレッド１２２を用いた以外は、シアンの顔料分散液Ａと同様にして、自己分散型顔料の含有量が１５質量％のマゼンタの顔料分散液Ａを得た。
【００５８】
［イエローの顔料分散液Ａの調製］
ピグメントブルー１５：３の代わりに、ピグメントイエロー７４を用いた以外は、シアンの顔料分散液Ａと同様にして、自己分散型顔料の含有量が１５質量％のイエローの顔料分散液Ａを得た。
【００５９】
［ブラックの顔料分散液Ｂの調製］
カーボンブラックＮＩＰＥＸ１５０−ＩＱ（ｄｅｇｕｓｓａ社製）２００質量部、ポリオキシエチレン（ｎ＝４０）β−ナフチルエーテル５０質量部及び水７５０質量部をプレミックスした後、ビーズミル分散機ＵＡＭ−０１５（寿工業社製）を用いて分散させた。このとき、直径が０．０３ｍｍのジルコニアビーズを用いて、周速１０ｍ／ｓ、液温３０℃の条件で１５分間分散させた。次に、遠心分離機Ｍｏｄｅｌ−３６００（久保山商事社製）を用いて、粗大粒子を除去して、顔料の含有量が２０質量％のブラックの顔料分散液Ｂを得た。
【００６０】
［シアンの顔料分散液Ｂの調製］
カーボンブラックの代わりに、ピグメントブルー１５：３を用いた以外は、ブラックの顔料分散液Ｂと同様にして、顔料の含有量が２０質量％のシアンの顔料分散液Ｂを得た。
【００６１】
［ブラックの顔料分散液Ｃの調製］
滴下装置、温度計、窒素ガス導入管、撹拌装置及び還流冷却管を備えた３Ｌの四つ口フラスコに、メチルエチルケトン１０００質量部を仕込み、７８℃まで昇温した後、ｎ−ブチルメタクリレート７００質量部、ｎ−ブチルアクリレート４２質量部、２−ヒドロキシエチルメタクリレート１５０質量部、メタクリル酸１０８質量部及びｔ−ブチルパーオキシ−２−エチルヘキサノエート８０質量部の混合液を４時間で滴下し、８時間反応させた。次に、反応液を室温まで放冷した後、メチルエチルケトンを添加して、５０質量％のポリマー溶液を得た。
【００６２】
ポリマー溶液２８ｇ、カーボンブラック２６ｇ、１ｍｏｌ／Ｌの水酸化カリウム水溶液１３．６ｇ、メチルエチルケトン２０ｇ及び水３０ｇを攪拌した後、３本ロールミルＮＲ−８４Ａ（ノリタケカンパニー社製）を用いて混練した。得られたペーストを水２００ｇに投入し、攪拌した後、エバポレーターを用いて、メチルエチルケトン及び水の一部を留去した。さらに、５μｍのフィルター（アセチルセルロース膜）を用いて粗大粒子を除去して、顔料の含有量が１３質量％のブラックの顔料分散液Ｃを得た。
【００６３】
［シアンの顔料分散液Ｃの調製］
カーボンブラックの代わりに、ピグメントブルー１５：３を用いた以外は、ブラックの顔料分散液Ｃと同様にして、顔料の含有量が１３質量％のシアンの顔料分散液Ｃを得た。
【００６４】
［インクジェットインクの調製］
顔料分散液、湿潤剤としての、水溶性有機溶媒Ａ、Ｂ、Ｃ、界面活性剤としての、パイオニンＤ−１００７（竹本油脂社製）、ゾニールＦＳ−３００（デュポン社製）、ソフタノールＥＰ−５０３５（日本触媒社製）及び水を９０分間撹拌した後、平均孔径が０．８μｍのメンブレンフィルターを用いてろ過し、ブラックインク及びカラーインクを得た。
【００６５】
表１に、ブラックインクの処方を示す。
【００６６】
【表１】
0005747681.tif 000002
なお、表中、数値の単位は質量％であり、界面活性剤の数値は、界面活性剤に含まれる有効成分に換算した値を意味する。
【００６７】
表２に、ブラックインクの特性を示す。
【００６８】
【表２】
0005747681.tif 000003
［水分の蒸発量が３０質量％である場合の粘度の測定方法］
インクジェットインクをシャーレに入れて、蒸発量が３０質量％になるまで水分を蒸発させた後、粘度計ＲＥ８０Ｌ（東機産業社製）を用いて、２５℃で粘度を測定した。
【００６９】
なお、水分の蒸発量［質量％］は、式
［（蒸発前のインクジェットインクの質量［ｇ］）−（蒸発後のインクジェットインクの質量［ｇ］）］／（蒸発前のインクジェットインクの質量［ｇ］）×１００
により算出される。
【００７０】
表３に、カラーインクの処方を示す。
【００７１】
【表３】
0005747681.tif 000004
なお、表中、数値の単位は質量％であり、界面活性剤の数値は、界面活性剤に含まれる有効成分に換算した値を意味する。
【００７２】
表４に、カラーインクの特性を示す。
【００７３】
【表４】
0005747681.tif 000005
［保存安定性］
実施例１〜８、比較例１〜７のインクジェットインクセット（表５参照）のブラックインク及びカラーインクをインクカートリッジに充填して６５℃で３週間保存し、粘度上昇及び凝集の有無を評価した。なお、ブラックインク及びカラーインクに粘度上昇及び凝集が全く認められない場合を◎、ブラックインク又はカラーインクにわずかに凝集が認められる場合を○、ブラックインク又はカラーインクに粘度上昇及び凝集が認められる場合を△、ブラックインク及びカラーインクに粘度上昇及び凝集が認められる場合を×として、判定した。
【００７４】
【表５】
0005747681.tif 000006
［間欠吐出安定性］
実施例１〜８、比較例１〜７のインクジェットインクセット（表５参照）をインクジェットプリンターＩＰＳｉＯ  ＧＸ５０００（リコー社製）に充填し、紙面全面積中、各色の印字面積が５％であるチャートを２０枚連続で印字した後、２０分間吐出をしない休止状態にした。この操作を５０回繰り返して累計で１０００枚印字した後、もう一枚チャートを印字し、不吐出、噴射乱れの有無を目視で評価した。なお、ブラックインク及びカラーインクに不吐出、噴射乱れが全く認められない場合を◎、ブラックインク又はカラーインクに若干の噴射乱れが認められる場合を○、ブラックインク又はカラーインクに明らかな噴射乱れが認められる場合を△、ブラックインク又はカラーインクに不吐出が認められる場合を×として、判定した。
【００７５】
［長期放置後吐出安定性］
実施例１〜８、比較例１〜７のインクジェットインクセット（表５参照）をインクジェットプリンターＩＰＳｉＯ  ＧＸ５０００（リコー社製）に充填し、ヘッドを覆蓋して、１０℃、１５％ＲＨの環境で１週間放置した後、ノズルチェックパターンを印字し、不吐出、噴射乱れの有無を目視で評価した。なお、ブラックインク及びカラーインクに不吐出、噴射乱れが全く認められない場合を◎、ブラックインク又はカラーインクに噴射乱れが認められる場合を○、ブラックインク又はカラーインクに不吐出が認められる場合を△、ブラックインク及びカラーインクに不吐出が認められる場合を×として、判定した。
【００７６】
［カール］
実施例１〜８、比較例１〜７のインクジェットインクセット（表５参照）をインクジェットプリンターＩＰＳｉＯ  ＧＸ５０００（リコー社製）に充填し、印字デューティーが１００％となるように印字した後、２４℃、５０％ＲＨの環境で１時間放置し、カールした紙の先端から紙の接地面までの距離、即ち、カール量を定規で測定した。なお、カール量が２５ｍｍ未満である場合を◎、カール量が２５ｍｍ以上４０ｍｍ未満である場合を○、紙の先端が紙面の内側に反り返っている場合を△、紙が丸まっている場合を×として、判定した。
【００７７】
［画像濃度］
実施例１〜８、比較例１〜７のインクジェットインクセット（表５参照）をインクジェットプリンターＩＰＳｉＯ  ＧＸ５０００（リコー社製）に充填し、２５℃、５０％ＲＨの環境で、Ｔｙｐｅ６２００紙（ＮＢＳリコー社製）にワンパスでベタ画像を印字した。Ｘ−Ｒｉｔｅ９３８（Ｘ−Ｒｉｔｅ社製）を用いて、ベタ画像の画像濃度を測定した。なお、画像濃度が１．０以上である場合を◎、０．８以上１．０未満である場合を○、０．６以上０．８未満である場合を△、０．６未満である場合を×として、判定した。
【００７８】
［カラーブリード］
実施例１〜８、比較例１〜７のインクジェットインクセット（表５参照）をインクジェットプリンターＩＰＳｉＯ  ＧＸ５０００（リコー社製）に充填し、リコービジネスコートグロス１００に画像を印字し、ブラックとカラーの境界部分の滲みを目視で評価した。なお、ブラックとカラーの境界部分で滲みが認められないか、殆ど目立たず、高品位な画像である場合を◎、ブラックとカラーの境界部分で若干の滲みが認められるが、問題ない品質の画像である場合を○、ブラックとカラーの境界部分で明らかな滲みが認められ、品質の劣った画像である場合を△、ブラックとカラーの境界部分で極度の滲みが認められ、非常に品質の悪い画像である場合を×として、判定した。
【００７９】
表６に、保存安定性、間欠吐出安定性、長期放置後吐出安定性、カール、画像濃度及びカラーブリードの評価結果を示す。
【００８０】
【表６】
0005747681.tif 000007
表６から、実施例１〜８のインクジェットインクセットは、保存安定性、間欠吐出安定性、長期放置後吐出安定性、カール、画像濃度及びカラーブリードに優れることがわかる。
【００８１】
これに対して、比較例１のインクジェットインクセットは、ブラックインク４及びカラーインク４が水溶性有機溶媒Ａを含まないため、保存安定性、間欠吐出安定性及び長期放置後吐出安定性が低下する。
【００８２】
比較例２のインクジェットインクセットは、ブラックインク５及びカラーインク５が水溶性有機溶媒Ｂを含まないため、カール、画像濃度及びカラーブリードが低下する。
【００８３】
比較例３のインクジェットインクセットは、カラーインク６が水溶性有機溶媒Ｃを含むため、保存安定性、長期放置後吐出安定性及びカラーブリードが低下する。
【００８４】
比較例４のインクジェットインクセットは、ブラックインク６が水溶性有機溶媒Ｃを含まないため、カール及びカラーブリードが低下する。また、水溶性有機溶媒Ａの含有量が水溶性有機溶媒Ｂの含有量と同一であるため、間欠吐出安定性及び長期放置後吐出安定性が低下する。
【００８５】
比較例５のインクジェットインクセットは、ブラックインク７の水溶性有機溶媒Ａの含有量が水溶性有機溶媒Ｂ及び水溶性有機溶媒Ｃの総含有量未満であるため、保存安定性、長期放置後吐出安定性及びカラーブリードが低下する。
【００８６】
比較例６のインクジェットインクセットは、カラーインク７の水溶性有機溶媒Ａの含有量が水溶性有機溶媒Ｂの含有量を超えるため、カラーブリードが低下する。
【００８７】
比較例７のインクジェットインクセットは、ブラックインク８の水溶性有機溶媒Ａ、水溶性有機溶媒Ｂ及び水溶性有機溶媒Ｃの総含有量が５０質量％を超えており、カラーインク８の水溶性有機溶媒Ａ及び水溶性有機溶媒Ｂの総含有量が５０質量％を超えているため、ブラックインク８及びカラーインク８の粘度が高くなる。その結果、保存安定性、間欠吐出安定性、長期放置後吐出安定性、画像濃度及びカラーブリードが低下する。
【先行技術文献】
【特許文献】
【００８８】
【特許文献１】特開２００９−４０８５８号公報